(57)【要約】【課題】写真を簡単に綴じ込んで容易に記念本とすることができる本を提供する。【解決手段】写真台シート４を綴じ込んであり、写真台シート４には写真表示窓４１が形成されており、写真台シート４と該シートに隣り合う次シート（例えば本の裏表紙２）との間に写真表示窓４１をとおして写真台シート表面側から視認可能に記念写真６を挟着した状態で写真台シート４と次シート２とを相互に貼着して写真付き記念本にすることができる本Ａ。【選択図】  図１
2008183862.tif 000002
【特許請求の範囲】
【請求項１】
写真台シートを綴じ込んであり、該写真台シートには写真表示窓が形成されており、該写真台シートと該シートに隣り合う次シートとの間に前記写真表示窓をとおして該写真台シート表面側から視認可能に記念写真を挟着した状態で該写真台シートと該次シートとを相互に貼着して写真付き記念本にすることができることを特徴とする本。
【請求項２】
前記写真台シートは本の裏表紙前に綴じ込まれており、前記次シートは該裏表紙である請求項１記載の本。
【請求項３】
前記写真表示窓は前記写真台シートに貫通形成された窓であり、該写真台シートを間にして前記次シートとは反対側に該写真表示窓を覆う写真カバーシートが綴じ込まれており、該写真カバーシートは、該写真台シートに重ね合わされた状態で、該写真表示窓に現れる前記記念写真を該写真カバーシートをとおして視認できるシートである請求項１又は２記載の本。
【請求項４】
前記写真台シート及び前記次シートのうち少なくとも一方に該写真台シートと該次シートとを相互に貼着するための、剥離可能の離型紙で覆われた感圧性接着剤を含む層が設けられている請求項１、２又は３記載の本。
【請求項５】
前記感圧性接着剤を含む層は両面接着テープからなっている請求項４記載の本。
【請求項６】
前記写真台シート及び前記次シートを相互に貼着するための、両面が剥離可能の離型紙で覆われた両面接着テープが付属品として添付されている請求項１、２又は３記載の本。
【請求項７】
教習用本である請求項１から６のいずれかに記載の本。
【発明の詳細な説明】
【技術分野】
【０００１】
本発明は、本に関係する記念写真、例えば本の読者、使用者等が撮影された記念写真を綴じ込んで記念本とすることができる本に関する。
【背景技術】
【０００２】
本には様々の種類がある。例えば子供向けの本には工夫が加えられているものが多々見受けられ、１例を挙げると、ホワイトボードマーカーやクレヨンで絵をかくことができるボードを綴じ込んだ絵かき練習本（例えば株式会社講談社発行の「おえかきれんしゅうボード」を綴じ込んだ「１日１０分でえがじょうずにかけるほん」参照）がある。
【０００３】
一方、本のなかには、記念として残しておきたい本がある。
例えば、小学校低学年の児童（例えば小学校１、２年生の児童）或いはさらに年下の幼稚園児等が読む童話本、そのような子供が使用するぬり絵本、文字書き練習本その他の教習本などについては、子供の歩みの記念として、また、子供が親や祖父、祖母等と共に歩んだことの記念として残しておきたい場合がある。
【０００４】
また、例えば深く印象に残ったり、深い感銘を受けた本についても記念として残しておきたい場合がある。
さらに、旅に関係する本では、例えばその本に記載された地へ実際に旅したような場合には記念として残しておきたい場合がある。
【０００５】
このように記念として残しておきたい本については、例えばその本を読んだり、使用したりした時の読者、使用者、関係者等が写った写真を記念写真としてその本に綴じ込めることができれば、愛着ひとしおの本となり、また、その後の人生においてうまく行かないと感じるようなときに取り出し見ることで、当時の自分の自然な健やかな成長を省みて、或いは当時自分が本から受けた良き印象や感銘、さらには本によりもたらされた当時の高揚した気分等を思い返すなどして、再び希望や勇気がわいてくる本となることもある。
【０００６】
【非特許文献１】株式会社講談社２００６年７月７日第５刷発行「１日１０分でえがじょうずにかけるほん」（秋山風三郎著）
【発明の開示】
【発明が解決しようとする課題】
【０００７】
しかしながら、従来の本では、写真を簡単に綴じ込める工夫がなされたものは見当たらない。
【０００８】
そこで本発明は、写真を簡単に綴じ込んで容易に記念本とすることができる本を提供することを課題とする。
【課題を解決するための手段】
【０００９】
前記課題を解決するため本発明は、
写真台シートを綴じ込んであり、該写真台シートには写真表示窓が形成されており、該写真台シートと該シートに隣り合う次シートとの間に前記写真表示窓をとおして該写真台シート表面側から視認可能に記念写真を挟着した状態で該写真台シートと該次シートとを相互に貼着して写真付き記念本にすることができる本を提供する。
【００１０】
本発明に係る本によると、例えば本の読者、使用者、それらのものの関係者等が写った写真を該本に係る記念写真として、該写真を前記写真台シートと前記次シートとの間に、該写真台シートの写真表示窓をとおして写真台シート表面側から視認可能に挟着した状態でそれら両シートを相互に貼着することで、簡単容易に写真付き記念本を得ることができる。
【００１１】
本発明に係る「本」には、特に制限はなく、子供用の童話本、教習用本（ぬり絵本等の絵描き練習本、文字練習本、算数練習本、日常生活のマナー等を子供向けに書き記した本等）などの各種子供向け本から大人向けの各種本（例えば小説本、旅行記本、各種雑誌類等）が含まれ、各種日記帳（例えば日常生活を記録する日記帳、子供の成長を記録する日記帳等）などの記録帳等も本発明に係る「本」に含まれる。
【００１２】
前記写真台シートと次シートとの間への写真の挟着にあたっての該写真の両シート間における配置固定については、該写真をそれら両シートを相互に貼着する前に写真台シートの裏面側に或いは次シートの表面側に、前記写真表示窓をとおして見えるように配置し、そこに市販の一般的な片面接着テープや両面接着テープ、市販の接着剤等の貼着手段で固定したり、写真台シート又は次シートに写真の隅部分を差し込める切断線を予め形成しておき、該切断線部分に写真の隅部分を差し込んで配置固定する等により簡単に行える。
【００１３】
また、写真台シートと次シートとの、それら両シートの間に写真を挟着した状態での相互貼着については、市販の両面接着テープや接着剤等の貼着手段で簡単容易に行える。
【００１４】
本発明に係る本の購入者に便利なように、前記写真台シート及び前記次シートのうち少なくとも一方に該写真台シートと該次シートとを相互に貼着するための、剥離可能の離型紙で覆われた感圧性接着剤を含む層を設けておいてもよい。この場合、該感圧性接着剤を含む層は例えば両面接着テープからなるものとすることができる。
【００１５】
或いは、前記写真台シート及び前記次シートを相互に貼着するための、両面が剥離可能の離型紙で覆われた両面接着テープを付属品として添付しておいてもよい。
【００１６】
前記写真台シートの本における位置については特に制限はないが、代表例として、該写真台シートを本の裏表紙前に綴じ込む場合を挙げることができる。この場合、該写真台シートに隣り合う前記次シートは該裏表紙となる。
【００１７】
前記写真台シートの写真表示窓としては、写真を写真台シート表面側から視認できるものであればよく、例えば透明フィルムで形成されているものなど、各種態様の窓を採用できる。簡単でコスト安につくものとして、該写真台シートに貫通形成された窓を挙げることができる。
【００１８】
このように写真台シートに貫通形成された写真表示窓を採用する場合、該窓から覗く写真を覆えるカバーシートを綴じ込んでおいてもよい。
すなわち、該写真台シートを間にして前記次シートとは反対側に該写真表示窓を覆う写真カバーシートを綴じ込んでおくのである。該写真カバーシートは、不透明なシートでもよいが、該写真台シートに重ね合わされた状態で、該写真表示窓に現れる写真を該写真カバーシートをとおして視認できるシートが望ましく、そのようなシートとして透明シートや半透明のシートを例示できる。
【発明の効果】
【００１９】
以上説明したように本発明によると、写真を簡単に綴じ込んで容易に記念本とすることができる本を提供することができる。
【発明を実施するための最良の形態】
【００２０】
以下、本発明の実施の形態を図面を参照して説明する。
図１に本発明に係る本の一例を示す。
【００２１】
図１に示す本Ａは、図示を省略しているが、児童用の教習本の１種であり、本を開くと、右側の頁に日常生活で必要なマナー（例えば、「あさおきると『おはようございます』とあいさつしましょう。」等の文章が記載されており、左側頁にそのマナーに対応するぬり絵が描かれている本である。
【００２２】
この本Ａは表表紙１、裏表紙２及びそれら表裏の表紙１、２の間に綴じられたシート群３を有している。シート群（ここでは複数枚の紙製シート）３の各シートに前記の児童教育用マナー事項等が記載されている。
【００２３】
本Ａはさらに裏表紙２の直前に綴じ込まれた写真台シート４及びさらにその直前に綴じ込まれた写真カバーシート５を有している。
【００２４】
写真台シート４はその中央部に写真表示窓４１が楕円形に貫通形成されている。本例では窓４１はシート中央部に一つ形成されているだけであるが、写真台シート４における写真表示窓の位置、数、形状等はそれに限定されない。図示以外の他の位置、数、形状等を採用してもよい。
カバーシート５はそれには限定されないが本例では透明なフイルムからなっている。半透明のシートでもよい。場合によっては不透明なシートでもよい。
【００２５】
この本Ａは、写真台シート４と裏表紙２とを後述するように相互に貼着するための、表裏面が剥離可能の離型紙で覆われた両面接着テープ２１が付属品として添付された状態で販売される。
【００２６】
本Ａは例えば次のようにして記念本にすることができる。
すなわち、本Ａを用いた子供或いは該子供とその両親や祖父、祖母等が写った写真を記念写真６として写真台シート４の裏面側に、該シートの表面側から写真６を視認できるように当てがい配置し、写真４の４隅を市販の片面接着テープ６１でシート４の裏面に固定する。
【００２７】
その状態で、離型紙を剥がした両面接着テープ２１で写真台シート４の三つの自由端縁部とそれらに対応する裏表紙２の三つの自由端縁部とを相互に貼着することで写真台シート４と裏表紙２とを相互に貼着する。かくして、図２に示すように、本Ａを記念写真６を綴じ込んだ記念本にすることができる。
【００２８】
綴じ込まれた写真６は写真台シート４に形成された写真表示窓４１から直接見ることもできるし、該シート４に重ねられたカバーシート５をとおして見ることもできる。
なお、カバーシート５は、あれば写真汚れを抑制しやすいが、なくてもよい。
【００２９】
以上説明した本Ａでは、写真台シート４と裏表紙２とを相互に貼着する両面接着テープ２１として、本の販売時に付属品として本Ａに添付されていたものを用いたが、該両面接着テープ２１は本の販売時に既に裏表紙２及び写真台シート４のうち少なくとも一方に予め貼着され、テープ表面側が離型紙で覆われたものを、その離型紙を剥がして用いてもよい。なお、写真台シート４と裏表紙２との相互貼着については両面接着テープに代えて、例えば市販の糊を用いて行えるようにしてもよい。
【００３０】
上記の例では、写真台シート４と裏表紙２とを相互に貼着するに先立って写真４を写真台シート４に配置固定したが、裏表紙２に配置固定してもよく、また、写真固定は片面接着テープ６１以外の糊等の接着剤などを用いて行っても構わない。
【００３１】
また、図１、図２に示す本Ａでは、写真台シート４はシート群３と同様に綴じ込まれているが、例えば図３に示すように、裏表紙２の下端縁部或いは上端縁部に折り込み可能に接続する状態で綴じ込まれていてもよい。
【００３２】
図１、図２に示す本Ａでは、カバーシート５もシート群３と同様に綴じ込まれているが、例えば図４に示すように、写真台シート４の自由端縁部に折り込み可能に接続された状態で綴じ込まれていてもよい。図１の本Ａにおいても、カバーシート５は写真台シート４の三つの自由端縁部のいずれかに接続されてもよい。
【００３３】
また、写真台シート４には、例えば図５に示すように、写真６の隅部６０を差し込み可能の切断線４２を予め形成しておき、これら切断線４２に写真６の隅部６０を差し込むことでシート４に対し写真６を位置決めできるようにしてもよい。
【００３４】
本Ａは児童用の教習本の１種であったが、既述のとおり、本発明を適用できる本は様々であり、日記帳等の記録帳も本として本発明を適用できる。
【産業上の利用可能性】
【００３５】
本発明は、記念写真を簡単に綴じ込んで容易に記念本とすることができる本を提供することに利用できる。
【図面の簡単な説明】
【００３６】
【図１】本発明に係る本の１例の斜視図である。
【図２】記念写真を綴じ込んで記念本とされた図１に示す本の斜視図である。
【図３】本発明に係る本の他の例を示す図である。
【図４】本発明に係る本のさらに他の例を示す図である。
【図５】写真台シートの他の例を示す図である。
【符号の説明】
【００３７】
Ａ  本
１  表表紙
２  裏表紙
２１  両面接着テープ
３  シート群
４  写真台シート
４１  写真表示窓
４２  切断線
５  写真カバーシート
６  写真
６０  写真の隅部
６１  片面接着テープ
【図１】
2008183862.tif 000003
【図２】
2008183862.tif 000004
【図３】
2008183862.tif 000005
【図４】
2008183862.tif 000006
【図５】
2008183862.tif 000007